(57)【要約】本発明は、その上に付された画像を有する受像層と発光層とを備え、前記発光層が、前記画像を照らし得るリン光物質または蛍光物質を含有する複合構造を提供する。【特許請求の範囲】
【請求項１】
その上に付された画像を有する受像層と、発光層とを含む複合構造であって、前記発光層が、前記画像を照らし得るリン光物質または蛍光物質を含有する複合構造。
【請求項２】
前記リン光物質または蛍光物質が、外部源からエネルギーを蓄積し、かつ前記画像を照らし得る光の状態で、前記エネルギーを放出し得る、請求項１に記載の複合構造。
【請求項３】
前記外部源が、前記リン光物質または蛍光物質により捕獲かつ蓄積された自然光または人工光を発する、請求項２に記載の複合構造。
【請求項４】
第１面および第２面を有する支持層をさらに備え、前記第１面が前記第２面と対向し、かつ前記受像層が前記第１面上に配設され、前記発光層が前記第２面上に配設される、請求項１に記載の複合構造。
【請求項５】
前記受像層または前記発光層が、前記支持層の前記第１面もしくは前記第２面に接着された被覆層である、請求項４に記載の複合構造。
【請求項６】
前記画像を雨天条件下の屋外にて照らし得るように、前記発光層および前記受像層が耐候性である、請求項１に記載の複合構造。
【請求項７】
約１００μＭ〜約１０００μＭの厚さを有する、請求項１に記載の複合構造。
【請求項８】
請求項１に記載の複合構造を含むバックライトディスプレイ物品。
【請求項９】
請求項１に記載の複合構造を形成すること；
前記リン光物質または蛍光物質中にエネルギーを蓄積すること；及び
前記リン光物質または蛍光物質によって発せられる光の状態で、前記蓄積されたエネルギーを放出することによって、前記画像を照らすこと；
を含む、画像を照らす方法。
【請求項１０】
その上に画像を有する受像層を、支持層の第１面上に配設することと、前記支持層の第２面上に発光層を形成することを含む、自己照明バックライトディスプレイを製造する方法であって、前記発光層が、前記画像を照らし得るリン光物質または蛍光物質を含有する方法。
【請求項１１】
その上に付された画像を有する受像層、第１電極となる透明な第１導電性層、第２電極となる第２導電性層、及び前記第１電極と前記第２電極との間に配設された発光層とを含む複合構造であって、前記発光層が、前記第１電極と前記第２電極との間に電圧をかけた場合に発光し得る複合構造。
【請求項１２】
前記電圧電流が、前記第１電極および第２電極を携帯型電源またはバッテリーに接続することによって生成される、請求項１１に記載の複合構造。
【請求項１３】
前記受像層と前記第１導電性層との間に配設された支持層をさらに含む、請求項１１に記載の複合構造。
【請求項１４】
前記第１導電性層と前記受像層との間に配設された接着促進層または光拡散層をさらに含む、請求項１１に記載の複合構造。
【請求項１５】
前記画像を雨天条件下の屋外で照らし得るように、前記発光層および前記受像層が耐候性である、請求項１１に記載の複合構造。
【請求項１６】
約１００μＭ〜約１０００μＭの厚さを有する、請求項１１に記載の複合構造。
【請求項１７】
請求項１１に記載の複合構造を含むマーク物品。
【請求項１８】
請求項１１に記載の複合構造を形成すること；
前記複合構造に電圧をかけること；及び
前記電圧の少なくとも一部を、前記発光層により発せられる光に変換することによって、前記画像を照らすこと；
を含む、画像を照らす方法。
【請求項１９】
前記電流がバッテリーによって供給される、請求項１８に記載の方法。
【請求項２０】
前記複合構造が、車両バッテリーおよび交流電源を含む車両に取り付けられ、かつ前記電流が、前記車両バッテリーまたは前記車両交流電源によって生成される、請求項１８に記載の方法。
【請求項２１】
画像を含まない受像層と発光層とを含む複合構造であって、前記発光層が、画像層によって受像される画像を照らし得るリン光物質または蛍光物質を含有する複合構造。
【発明の詳細な説明】
【０００１】
関連出願
本出願は、その全体が本明細書に開示として援用される、１９９８年１０月１３日出願の米国特許仮出願第６０／１０３，９７２号に対する優先権の利益を請求するものである。
【０００２】
発明の背景
１．発明の分野
本発明は、バックライト（ｂａｃｋｌｉｔ）ディスプレイ、特に屋外耐候性バックライトディスプレイに有用な複合構造に関する。
【０００３】
２．関連技術分野の説明
バックライトディスプレイは、商業的に（ｉｎ ｃｏｍｍｅｒｃｉａｌ ｓｅｔｔｉｎｇｓ）使用されており、販売促進の目的のために小売業（ｒｅｔａｉｌ ｓｅｔｔｉｎｇｓ）で日常的に使用される。通常の背面照明（ｂａｃｋｌｉｇｈｔｅｄ）ディスプレイ装置は、密閉型（ｅｎｃｌｏｓｅｄ）光源からの光を、図形表示媒体を通して見る人に向けて発し、それによって、夕方の時間帯において、（特に光が少ない場所での）視覚的効果を高める。
【０００４】
掲示板広告等を通して利用され得るイメージ・コミュニケーションの重要性によって示されるように、明らかに大きな市場（ｍａｒｋｅｔ ｄｅｐｔｈ）があるにもかかわらず、バックライトディスプレイは、屋外および独立型（ｓｅｌｆ−ｃｏｎｔａｉｎｅｄ）ディスプレイ装置において広範には利用されていない。外部ライトおよび耐候性材料を用いた従来の掲示板広告の普及は、屋外バックライトディスプレイシステムへの関心の低さの原因を示している。従来のバックライトディスプレイシステムには、耐候性ではない大きな機材を必要とする、大きくて扱いにくい照明装置が使用されているため、空港のホールなどの大きな屋内スペースでのみ使用することができる。米国特許第５，９４３，８０１号には、かかるバックライトディスプレイが記載されている。
【０００５】
屋外の天候条件に耐えうるバックライトディスプレイが、依然として必要とされている。一般に、さらに簡素化された発光システムを有するバックライトディスプレイが特に望ましい。
【０００６】
発明の概要および目的
第１の態様において、本発明は、受像層と発光層とを含む複合構造を提供する。その発光層は、受像層上に付着させた画像を照らすことが可能なリン光または蛍光物質を含有する。そのリン光または蛍光物質は、外部源からエネルギーを蓄積し、かつ画像を照らすことが可能な光の状態で、蓄積されたエネルギーを放出することができる。その外部源は、リン光または蛍光物質により捕獲、蓄積されるべき自然光または人工光であることが好ましい。
【０００７】
本発明の複合構造は、対向する第１面と第２面とを有する支持層も含むことが好ましい。受像層を第１面上に配設し、発光層を第２面上に配設する。支持層は透明であることが好ましい。
【０００８】
本発明の複合構造は、耐候性の発光層と受像層によって形成される構造を含むため、雨天条件下において、屋外で画像を照らすことができる。本発明による複合構造は、約１００μＭ〜約１０００μＭの厚さを有することが好ましい。
【０００９】
他の態様では、本発明は、その上に画像を有する受像層と、リン光または蛍光物質を含有する発光層とを含む複合構造を形成することを含む、画像を照らす方法を提供する。その方法は、リン光または蛍光物質中にエネルギーを蓄積する段階と、蓄積されたエネルギーを、リン光または蛍光物質によって発せられた光の状態で放出することによって画像を照らす段階とを含む。
【００１０】
さらに別の態様では、本発明は、その上に画像を有する受像層を支持層の第１面上に配設することと、その支持層の第２面上に発光層を形成することを含む、自己照明（ｓｅｌｆ−ｉｌｌｕｍｉｎａｔｉｎｇ）バックライトディスプレイを形成する方法を提供する。発光層は、画像を照らし得るリン光または蛍光物質を含有する。
【００１１】
さらに別の態様では、本発明は、その上に画像を付した受像層と、第１電極となる透明な第１導電性層と、第２電極となる第２導電性層と、第１電極と第２電極との間に配設された発光層とを含む複合構造を提供する。その発光層は、第１電極と第２電極の間に電圧をかけた場合に、光を発することができる。その電圧は、第１電極および第２電極を電圧源に接続することによって生成される。
【００１２】
さらに別の態様では、本発明は、その上に画像を有する受像層からなる複合構造を形成すること；その複合構造に電流を流すこと；その電流の少なくとも一部を、複合構造の発光層により発せられる光に変換することによって、画像を照らすこと：を含む、画像を照らす方法を提供する。
【００１３】
好ましい形態の詳細な説明
本発明は、バックライトディスプレイ、特に屋外耐候性バックライトディスプレイに有用な複合構造に関する。本発明の複合構造は、かなり簡素化され、そのため非常に実用的なバックライトディスプレイを提供する。
【００１４】
本発明は、従来のバックライトディスプレイと比較して、高い柔軟性、空間効率およびエネルギー使用効率ならびに高い耐久性を有するバックライトディスプレイを形成する複合構造を提供する。これらの利点は、その上に画像を有する受像層（表面）と、受像層上の画像を照らす光を発する裏面層との組み合わせによってもたらされる。その構造の裏面は、画像層が許容可能なレベルまで照らされるように光源を提供し得る単層または複数の層を含む。この裏面は、蛍光物質、リン光またはエレクトロルミネセンス物質から構成され得る。
【００１５】
ある態様では、本発明は、インクジェット画像形成（ｉｍａｇｉｎｇ）、エレクトログラフィック（ｅｌｅｃｔｒｏｇｒａｐｈｉｃ）画像形成、または他のいずれかの直接もしくは転写画像形成技術によって、画像形成することができる表面または受像層を有する、画像形成可能な（ｉｍａｇｅａｂｌｅ）バックライト複合構造を提供する。ディスプレイが曝され得る天候条件の悪影響を最小限に抑えつつ、屋外ディスプレイにおいてバックライト複合構造を使用し得るために、画像形成された層は耐水性であることが好ましい。
【００１６】
その受像層は、転写画像形成し得るように設計されたインクジェット画像形成可能な層または面であり得る。インクジェット画像転写、エレクトログラフィック画像転写および当技術分野で知られている他の技術などの転写画像形成技術を、本発明の受像層上に画像を形成するために容易に適応させることができる。
【００１７】
本発明の複合構造を形成するのに適した受像層の例が、米国特許第５，８５３，８９９号に記載されており、その内容全てが、本明細書に開示として援用される。かかる層は一般に、その上に設けられる、インク受容層を有する基材を含む。基材は透明であることが好ましい。好ましいインク受容層の１つは、エチレン酢酸ビニルコポリマーと、加水分解（ｈｙｄｒｏｌｙｚｅｄ）ポリビニルアルコールとのブレンドからなる。インク受容層は、シリカまたはケイ酸カルシウムなどの固体微粒子を含有することが好ましい。
【００１８】
その受像層は、カラーインクジェット印刷によって画像形成することが好ましい。屋外のバックライトパネルディスプレイにおいて画像形成層を用いる前に、インクを乾燥させる。その内容全てが本明細書に開示として援用される、米国特許第５，８３７，３７５号に記載のインクジェット印刷法によって、本発明の複合構造において、受像層への画像形成が有利に行われる。任意に、当業界で知られているように、透明もしくは半透明フィルムまたは紙によって、受像層が支持される。
【００１９】
画像が形成されているか、画像がまだ形成されていないかにかかわらず、受像層を独立型発光層と組み合わせて、本発明による複合構造を形成する。独立型発光層は、別の光源または他の状態のエネルギーを必要とすることなく、画像を照らすのに十分な内部エネルギー、例えば外部光源または他の状態のエネルギーに曝されることによって発光層内に蓄積されたエネルギーを放出し得る発光層を意図している。放射光または残光は、外部光源または他の状態のエネルギーに曝された後、所定の時間、受像層上に配設された画像を照らす。
【００２０】
本発明による発光層を形成するのに適した材料には、残光が通過した際に（ｗｈｅｎ ｔｈｅ ｔｈｒｏｕｇｈ ａｎ ａｆｔｅｒｇｌｏｗ）発せられる光の状態で内部エネルギー（即ち、その中に蓄積されたエネルギー）を放出し得るリン光および蛍光物質が含まれる。好ましい物質には、例えば、約１０００時間オーダーの長い残光に、残光強度のごくわずかな（ｍａｒｇｉｎａｌ）損失を生じさせる顔料が含まれる。これらの顔料は、薄いポリマー基材またはフォイル基材などの比較的薄い基材中に組み込むことが容易なはずである。
【００２１】
発光層および好ましくはその上に画像を有する受像層は、発光層により発せられる光が受像層において画像を照らして、バックライトディスプレイを形成するように配置される。
【００２２】
蛍光またはリン光系構造を用いた場合には、その光エネルギーは、例えば人工光または自然光によりリン光物質または蛍光物質にもたらされる。そのエネルギーは、蛍光物質またはリン光物質中に蓄積され、徐々に放出されて、バックライト光を発生させる。
【００２３】
本発明のリン光系複合構造を概略的に以下に示す：
【表１】
2004505288.tif 000002
【００２４】
他の態様では、本発明は、エレクトロルミネセンス発光層を提供する。エレクトロルミネセンス層は、電力を、受像層上に付された画像を照らし得る放射光に変換する。
【００２５】
エレクトロルミネセンス系発光層を用いる場合には、無機または有機発光物質を用い、外部電源を使用して、光を発生させる。好ましいエレクトロルミネセンスシステムには、“インディグロ（Ｉｎｄｉｇｌｏ）”腕時計の照明に使用されているものと同様の光源が含まれる。発光ダイオードに基づく装置もまた、本発明に使用されるべきエレクトロルミネセンス発光層の形成に、容易に適応させることができる。他の適当な電源もまた使用することが可能である。
【００２６】
ある態様では、エレクトロルミネセンス発光層は、発光物質を含有する。発光物質は、第１電極層と第２電極層との間に配設される。電圧は、それら電極間で、かつ発光物質全体にわたって生じる。発光物質全体にわたり電極層間で電圧が生じることにより、発光物質によって光が放射される。外部電源に電極を接続することによって、電圧が生じる。屋外用途では、電極間で電圧を生じさせるのに必要な電気エネルギーは、バッテリーによって得ることができる。
【００２７】
本発明によるエレクトロルミネセンス構成構造は、画像照明を強化する追加の層を含むことが有利である。任意の画像強化層の例には、接着促進層および光拡散層が含まれる。同様に、本発明によるエレクトロルミネセンス系複合構造の機械的性質は、エレクトロルミネセンス発光層と受像層または画像含有層との間に支持層を配設することによって、有利に高められる。
【００２８】
本発明のエレクトロルミネセンス系複合構造を概略的に以下に示す：
【表２】
2004505288.tif 000003
【００２９】
リン光、蛍光またはエレクトロルミネセンス物質に基づく発光層を設けることによって、本発明は、従来のバックライトディスプレイに通常接続される重い機材の必要がなくなる。この結果、本発明のディスプレイは、さらに容易に持ち運びできるようになる。同様に、本発明の構成構造は、美的、機能的かつ空間効率的なバックライトディスプレイを提供する。本発明のバックライト構造は、せいぜい操作するための電源コードまたはバッテリーパックしか必要としないであろう、スマートな薄いデザインを提供する。
【００３０】
本発明の複合構造は、種々の用途に適している。特に有利な用途には、空港のバックライトディスプレイ、購買用ディスプレイ（ｐｕｒｃｈａｓｅ ｄｉｓｐｌａｙｓ）、キオスクのディスプレイ（ｋｉｏｓｋ ｄｉｓｐｌａｙｓ）等において、本発明の複合構造を使用することが含まれる。本発明の複合構造は、薄く、場合によっては柔軟なデザインが付与された、マーク（ｓｉｇｎａｇｅ）および船舶用グラフィックス（ｆｌｅｅｔ ｇｒａｐｈｉｃｓ）での使用にもまた適している。
【００３１】
ある特定の用途は、バスやトラクターなどの車両の外側に付された画像を、本明細書に記載されているようなリン光またはエレクトロルミネセンス系発光層によって夜間に照らされるバックライトディスプレイに変換することに基づく。車両のバッテリーまたは交流電源を用いて車両自体によって電力源を供給することができるため、この種の用途に、エレクトロルミネセンス層は特に有利である。
【００３２】
以下の実施例により、本発明による複合構造の形成を説明する。
【００３３】
Ａ．暗がりで光る自己照明付き（Ｇｌｏｗ−ｉｎ−ｔｈｅ−ｄａｒｋ ｓｅｌｆ ｌｉｔ）複合構造
この実施例では、リン光系発光層を含む、本発明による複合構造を製造する。
【００３４】
ルミノバ（ＬｕｍｉＮｏｖａ）をリン光物質として使用した。ルミノバ（ＬｕｍｉＮｏｖａ）は、従来の硫化亜鉛リン光顔料よりもむしろ、酸化ストロンチウムアルミネート顔料をベースとする。ルミノバ（ＬｕｍｉＮｏｖａ）は、従来の硫化亜鉛よりも優れた耐光性を有する。晴れた日には、ルミノバ（ＬｕｍｉＮｏｖａ）の場合には、１０時間の露光後の相対残光（％）が９８％であるのに対し、ＺｎＳの場合には８６％である。曇りまたは雨の天候が続くと、ルミノバ（ＬｕｍｉＮｏｖａ）の場合、１０００時間露光した後でさえ相対残光（％）は依然として９７％のままであるのに対し、ＺｎＳの場合は、１００時間露光した後わずか３５％であり、３００時間の露光後には０％まで衰える。
【００３５】
溶剤型（ｓｏｌｖｅｎｔ ｂｏｒｎｅ）下塗り層を有する約３〜５ミル（ｍｉｌ）ＰＥＴ（ポリエステル）ベースの一方の面上に、約１ミルのレクサム（Ｒｅｘａｍ）インクジェット受容層をコーティングし、一方、約１ミルのルミノバ（ＬｕｍｉＮｏｖａ）層で、他方の面をコーティングした。商品名ルミノバ（ＬｕｍｉＮｏｖａ）３００Ｆのルミノバ（ＬｕｍｉＮｏｖａ）（１０ｇ）を軟質アクリル樹脂（ＡＣ２０９−４；ドックレジンズ（ＤｏｃｋＲｅｓｉｎｓ））中に加えて、攪拌することによって、ルミノバ（ＬｕｍｉＮｏｖａ）インクを調製した。
【００３６】
Ｂ．エレクトロルミネセンス複合構造：
この実施例では、本発明による、エレクトロルミネセンス系バックライトディスプレイを製造した。
【００３７】
第１プロセスでは、粘着インクを用いて、Ａｇ／電極、誘電体（ＢａＴｉＯ３）、リン光体（ＺｎＳ／Ｃｕ）、ＩＴＯインクおよびＡｇ／母線の順番に、層ごとにＰＥＴ透明ベース上にコーティングし、乾燥させることによって、複合構造を製造する。
【００３８】
第２プロセスでは、リン光体／ＩＴＯ／ＰＥＴおよび誘電体／アルミニウムフォイルを積層することによって、複合構造を製造する。透明電極（ＩＴＯ／ＰＥＴ）（ＯＣ−１００、ＯＣ−２００およびＯＣ−３００などのＯＣ製品；ＣＰフィルム）上にリン光体顔料（例えば、Ｃｕ／ＺｎＳ；シルバニア・エレクトリック・プロダクツ（Ｓｙｌｖａｎｉａ Ｅｌｅｃｔｒｉｃ ｐｒｏｄｕｃｔｓ）；米国特許第４，０２０，３８９号を参照）をコーティングすることによって、リン光体／ＩＴＯ／ＰＥＴを得た。誘電体／アルミニウムフォイルは、ＢａＴｉＯ３（ＧＥ　ＢａＴｉ懸濁液１１７−３−７；米国特許第４，５９３，２２８号）をコーティングすることによって得た。
【００３９】
インクジェット媒体を上述の構造上に積層する。より良い転写品質を確保するため、積層上に容易に接着するように、ＩＴＯ／ＰＥＴのＰＥＴを溶剤型層で下塗りした。その構造をさらに、保護としてレックスコート（ＲｅｘＣｏａｔ）で積層した。
【００４０】
好ましい態様の点から本発明を説明したが、当業者であれば、本発明の精神から逸脱することなく、様々な修正、置き換え、省略および変更を行い得ることが理解されるであろう。したがって、本発明の範囲は、その均等物を含め、以下の特許請求の範囲によってのみ制限されることが意図される。
【国際公開パンフレット】
2004505288.tif 000004
2004505288.tif 000005
2004505288.tif 000006
2004505288.tif 000007
2004505288.tif 000008
2004505288.tif 000009
2004505288.tif 000010
2004505288.tif 000011
2004505288.tif 000012
2004505288.tif 000013
2004505288.tif 000014
2004505288.tif 000015
2004505288.tif 000016
2004505288.tif 000017
2004505288.tif 000018
2004505288.tif 000019
2004505288.tif 000020
2004505288.tif 000021
2004505288.tif 000022
【手続補正書】
【提出日】平成13年9月20日(2001.9.20)
【手続補正１】
【補正対象書類名】明細書
【補正対象項目名】特許請求の範囲
【補正方法】変更
【補正の内容】
【特許請求の範囲】
【請求項１】
（１）第１面および第２面を有し、第１面は前記第２面と対向している透明な支持層、
（２）その上に付された画像を有する受像層、および
（３）発光層
を含む複合構造であって、
受像層は前記支持体の第１面上に配設され、前記発光層は前記第２面上に配設され、かつ前記発光層は、前記受像層に付された画像を照らし得るリン光または蛍光物質を含む、複合構造。
【請求項２】
前記リン光物質または蛍光物質が、外部源からエネルギーを蓄積し、かつ前記画像を照らし得る光の状態で、前記エネルギーを放出し得る、請求項１に記載の複合構造。
【請求項３】
前記外部源が、前記リン光物質または蛍光物質により捕獲かつ蓄積された自然光または人工光を発する、請求項２に記載の複合構造。
【請求項４】
前記受像層または前記発光層が、前記支持層の前記第１面もしくは前記第２面に接着された被覆層である、請求項１に記載の複合構造。
【請求項５】
前記画像を雨天条件下の屋外にて照らし得るように、前記発光層および前記受像層が耐候性である、請求項１に記載の複合構造。
【請求項６】
約１００μＭ〜約１０００μＭの厚さを有する、請求項１に記載の複合構造。
【請求項７】
請求項１に記載の複合構造を含むバックライトディスプレイ物品。
【請求項８】
請求項１に記載の複合構造を形成すること；
前記リン光物質または蛍光物質中にエネルギーを蓄積すること；及び
前記リン光物質または蛍光物質によって発せられる光の状態で、前記蓄積されたエネルギーを放出することによって、前記画像を照らすこと；
を含む、画像を照らす方法。
【請求項９】
その上に画像を有する受像層を、支持層の第１面上に配設することと、前記支持層の第２面上に発光層を形成することを含む、自己照明バックライトディスプレイを製造する方法であって、前記発光層が、前記画像を照らし得るリン光物質または蛍光物質を含有する方法。
【請求項１０】
その上に付された画像を有する受像層、第１電極となる透明な第１導電性層、第２電極となる第２導電性層、及び前記第１電極と前記第２電極との間に配設された発光層とを含む複合構造であって、前記発光層が、前記第１電極と前記第２電極との間に電圧をかけた場合に発光し得る複合構造。
【請求項１１】
前記電圧電流が、前記第１電極および第２電極を携帯型電源またはバッテリーに接続することによって生成される、請求項１０に記載の複合構造。
【請求項１２】
前記受像層と前記第１導電性層との間に配設された支持層をさらに含む、請求項１０に記載の複合構造。
【請求項１３】
前記第１導電性層と前記受像層との間に配設された接着促進層または光拡散層をさらに含む、請求項１０に記載の複合構造。
【請求項１４】
前記画像を雨天条件下の屋外で照らし得るように、前記発光層および前記受像層が耐候性である、請求項１０に記載の複合構造。
【請求項１５】
約１００μＭ〜約１０００μＭの厚さを有する、請求項１０に記載の複合構造。
【請求項１６】
請求項１０に記載の複合構造を含むマーク物品。
【請求項１７】
請求項１０に記載の複合構造を形成すること；
前記複合構造に電圧をかけること；及び
前記電圧の少なくとも一部を、前記発光層により発せられる光に変換することによって、前記画像を照らすこと；
を含む、画像を照らす方法。
【請求項１８】
前記電流がバッテリーによって供給される、請求項１７に記載の方法。
【請求項１９】
前記複合構造が、車両バッテリーおよび交流電源を含む車両に取り付けられ、かつ前記電流が、前記車両バッテリーまたは前記車両交流電源によって生成される、請求項１７に記載の方法。
【請求項２０】
画像を含まない受像層と発光層とを含む複合構造であって、前記発光層が、画像層によって受像される画像を照らし得るリン光物質または蛍光物質を含有する複合構造。
【国際調査報告】
2004505288.tif 000023